(57)【要約】【課題】原稿画像と略同画質の画像データを生成すると共に，表裏面の読み取り画像データ間に生じる画質差を更に低減させること。【解決手段】二つのイメージセンサによって原稿の両面画像データを一の動作で読み取る画像処理装置に，所定の基準画像データに基づいて一方のイメージセンサにより読み取られた画像データの画質補正を行い，この補正画像データに基づいて他方のイメージセンサにより読み取られた画像データの画質補正を行うことで，表裏面の読取画像データ間に生じる画質差だけでなく，原稿画像データとの画質差も低減される。【選択図】図２
2005020224.tif 000002
【特許請求の範囲】
【請求項１】
読み取られた画像データを所定の基準画像データに基づいて処理する画像処理装置であって、原稿の表面画像データを読み取る第１の読取手段と，同原稿の裏面画像データを読み取る第２の読取手段とを備えた画像処理装置において，
上記基準画像データに基づき，上記第１の読取手段により読み取られた第１の読取画像データの画質を補正する第１の画質補正手段と，
第１の画質補正手段により補正された補正画像データに基づき，上記第２の読取手段により読み取られた第２の読取画像データの画質を補正する第２の画質補正手段とを具備してなることを特徴とする画像処理装置。
【請求項２】
上記第１の読取手段が，ＣＩＳにより原稿の表面画像データを読み取るものである請求項１に記載の画像処理装置。
【請求項３】
上記第２の読取手段が，ＣＣＤ或いはＣＭＯＳにより原稿の裏面画像データを読み取るものである請求項１に記載の画像処理装置。
【請求項４】
上記第１の画質補正手段が，予め所定の記憶装置に記憶された上記基準画像データを読み出して，該読み出された基準画像データに基づき上記第１の読取画像データの画質を補正するものである請求項１〜３のいずれかに記載の画像処理装置。
【請求項５】
上記第１の画質補正手段が，上記基準画像データの画質の特性に関する特性パラメータに基づき上記第１の読取画像データの画質を補正するものである請求項１〜４のいずれかに記載の画像処理装置。
【請求項６】
上記第２の画質補正手段が，上記補正画像データの画質の特性に関する特性パラメータに基づき上記第２の読取画像データの画質を補正するものである請求項１〜４のいずれかに記載の画像処理装置。
【請求項７】
上記特性パラメータが，少なくとも色補正パラメータ，ガンマ補正パラメータ，ＭＴＦ補正パラメータ或いは色収差補正パラメータのいづれか１つ或いは複数である請求項５又は６に記載の画像処理装置。
【請求項８】
請求項１〜７のいずれかに記載の画像処理装置を具備してなることを特徴とする画像形成装置。
【発明の詳細な説明】
【０００１】
【発明の属する技術分野】
本発明は，両面画像読取機能を有する画像処理装置及び画像形成装置に関し，特に，原稿の表裏面を一度の動作で読み取り，読み取られた画像データを所定の基準画像データに基づいて処理する画像処理装置及び画像形成装置に関するものである。
【０００２】
【従来の技術】
原稿の両面の画像データを読み取って画像処理を行う両面画像読取機能を有する複写機，イメージスキャナ等の画像処理装置が広く普及している。この両面画像読取機能は，装置に設けられたＣＩＳ（Ｃｏｎｔａｃｔ  Ｉｍａｇｅ  Ｓｅｎｓｏｒ，密着型撮像素子），ＣＣＤ（Ｃｈａｒｇｅ  Ｃｏｕｐｌｅｄ  Ｄｅｖｉｃｅ，電荷結合素子）或いはＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ，相補型金属酸化膜半導体）等のイメージセンサにより原稿の両面の画像データを読み取るものである。ここで，上記ＣＩＳは，ＬＥＤ等の光源，及びこの光源から発光される光を原稿の幅方向に導くライトガイド，原稿からの反射光を集光するレンズ，集光された反射光を受光するリニアフォトセンサー（直線状に配列された光に感じるセンサ）を備えた一体型イメージセンサのことをいう。
この両面画像読取機能の一例として，１つのイメージセンサを用いて原稿の表面画像データを読み取らせた後に，この原稿を反転搬送させて，再度同イメージセンサにより原稿の裏面画像データを読み取らせるものがある。この方法で読み取られた表裏面の画像データは，共に同一のイメージセンサにより読み取られるので，出力画像の表裏面に画質差が生じないという利点があるが，原稿反転動作による処理の遅延，複雑な構成となる反転搬送路における原稿詰まり等の問題があった。
非特許文献１には，２つのイメージセンサを用いて，一度の動作で原稿の両面の画像データを略同時に読み取ることにより，従来の原稿反転動作を排除して，処理速度の向上を図り，更に，読み取られた裏面の画像データを，先に読み取られた表面の画像データの画質の特性に合わせる処理を行うことで，読み取られた表裏面の画像データ間の特性の違いを吸収することにより，原稿の表裏面をそれぞれ個別のイメージセンサで読み取ることにより生じる表裏面の画質差を所定の許容範囲内に抑える画像処理装置が掲載されている。
【０００３】
【非特許文献１】
高木  保至，外７名，“ＲＩＣＯＨ  ＴＥＣＨＮＩＣＡＬ  ＲＥＰＯＲＴ”，ｉｍａｇｉｏ  ＮＥＯ７５０／６００シリーズ，Ｐ１４３〜Ｐ１４８，［ｏｎｌｉｎｅ］，平成１４年１１月３０日，株式会社リコー  研究開発本部  ，［平成１５年５月８日検索］，インターネット＜ｈｔｔｐ：／／ｗｗｗ．ｒｉｃｏｈ．ｃｏ．ｊｐ／ｒｄｃ／ｔｅｃｈｒｅｐｏｒｔ／Ｎｏ２８／Ｒｏｎｂｕｎ／Ｃ２８０２．ｐｄｆ＞
【０００４】
【発明が解決しようとする課題】
しかしながら，上記非特許文献に記載される画像処理装置は，読み取られた原稿表面の画像データと原稿裏面の画像データとの画質差を低減させることはできたとしても，例えば，劣化，損傷等により原稿表面の画像データを読み取るイメージセンサの精度が低下した場合には，原稿裏面の画像データは，精度が低下したイメージセンサにより読み取られた表面の画像データ，即ち再現精度の低い表面画像データの画質特性に合わせる処理がなされるため，原稿の画像画質と比較すると大きな画質差を生じるという問題があった。
従って，本発明は上記事情に鑑みてなされたものであり，その目的とするところは，原稿画像データと比較して略同画質の画像データを生成するだけでなく，読み取られた原稿表裏面の画像データ間に生じる画質差を従来と較べて更に低減させる画像処理装置及び画像形成装置を提供することにある。
【０００５】
【課題を解決するための手段】
上記目的を達成するために本発明は，読み取られた画像データを所定の基準画像データに基づいて処理する画像処理装置であって、原稿の表面画像データを読み取る第１の読取手段と，同原稿の裏面画像データを読み取る第２の読取手段とを備えた画像処理装置において，上記基準画像データに基づき，上記第１の読取手段により読み取られた第１の読取画像データの画質を補正する第１の画質補正手段と，第１の画質補正手段により補正された補正画像データに基づき，上記第２の読取手段により読み取られた第２の読取画像データの画質を補正する第２の画質補正手段とを具備してなることを特徴とする画像処理装置として構成されている。
このように構成されることにより，読み取られた表裏面の画像データ間に生じる画質差が低減されると共に，原稿画像データとの画質差をも低減させることが可能となる。この場合，上記第１の読取手段が，ＣＩＳにより原稿の表面画像データを読み取るものであることが好ましく，また，上記第２の読取手段が，ＣＣＤ若しくはＣＭＯＳにより原稿の裏面画像データを読み取るものであることが好ましい。
【０００６】
ここで，上記第１の画質補正手段が，予め所定の記憶装置に記憶された上記基準画像データを読み出して，該読み出された基準画像データに基づき上記第１の読取画像データの画質を補正するものであることが考えられる。
これにより，上記基準画像データの画質特性に合わせて最初に読み取られた面の画像データが補正されるため，この最初に読み取られた面の画像データには常に原稿画像データと略同質の画質が得られることとなる。この場合，上記第１の画質補正手段が，上記基準画像データの画質の特性に関する特性パラメータに基づき上記第１の読取画像データの画質を補正するものであること好ましく，また，上記第２の画質補正手段が，上記補正画像データの画質の特性に関する特性パラメータに基づき上記第２の読取画像データの画質を補正するものであることが好ましい。更にまた，上記特性パラメータが，少なくとも色みの特性を示す色補正パラメータ，ガンマ特性を示すガンマ補正パラメータ，ＭＴＦ特性を示すＭＴＦ補正パラメータ或いは色収差特性を示す補正パラメータのいづれか１つ或いは複数のパラメータであることが考えられる。多数ある画質の特性に関する特性パラメータのうち，特に画質に大きく影響を与える上記４つの特性パラメータに基づき補正することとした。
【０００７】
また，上記画像処理装置を具備してなる画像形成装置であっても，前記課題は解決され得る。
【０００８】
【発明の実施の形態】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係る画像処理装置の概略構造を示す模式断面図，図２は本発明の実施の形態に係る画像処理装置に設けられた画像処理制御装置の概略構成を示すブロック図，図３は本発明の実施の形態に係る画像処理装置において実行される画像処理手順を説明するフローチャートである。
【０００９】
まず，図１の模式断面図及び図２のブロック図を用いて，本発明の実施の形態に係る画像処理装置Ｘの概略構成について説明する。尚，本画像処理装置Ｘは，原稿表面画像を読み取るＣＣＤ及び原稿裏面画像を読み取るＣＩＳの２つのイメージセンサを備え，略同時に原稿の表裏面の画像データを読み取って画像処理を行うものであり，例えば両面読取印刷機能を有する複写機及びプリンタ，或いは両面読取機能を有するスキャナ装置，或いはこれら複数の装置が持つ機能を併せ持つデジタル複合機等が該当する。
図１に示すように，本画像処理装置Ｘには，ＡＤＦ（Ａｕｔｏ  Ｄｏｃｕｍｅｎｔ  Ｆｅｅｄｅｒ）１０から送り出され，搬送路１１内で搬送される原稿の表面Ｆに対して露光を行う露光装置２１と，原稿表面Ｆに照射された照射光を光学レンズ２３及びＣＣＤ２４に導くミラー２２ａ，２２ｂ，２２ｃと，反射光を集光する光学レンズ２３と，この光学レンズ２３により集光された反射光を受光するＣＣＤ２４（第１の読取手段に相当）と，ＣＣＤ２４によって受光された反射光に基づいて画像処理を実行する画像処理制御装置２０とが備えられている。このＣＣＤ２４は受光した反射光に含まれる画像情報を上記画像処理制御装置２０が読み取れ得る電気信号に変換するものである。
更に，本画像処理装置Ｘには，ＡＤＦ１０から送り出された原稿を搬送する搬送路１１内に，原稿裏面Ｒの画像データを読み取るよう設けられたＣＩＳ１２（第２の読取手段に相当）も備えられている。このＣＩＳ１２は，受光した反射光に含まれる画像情報を上記画像処理制御装置２０が読み取れ得る電気信号に変換するものである。
このように，本画像処理装置Ｘでは，一つの搬送路１１内にイメージセンサを２つ設けることにより，原稿の両面を略同時に読み取ることができ，読み取り処理に費やされる時間の短縮を図ることができる。
【００１０】
上記画像処理制御装置２０は，図２に示すように，ＣＩＳ読取回路１１０，ＣＣＤ読取回路１２０，記憶部１４０，ＣＩＳ画像補正部１５０，ＣＣＤ画像補正部１６０及び，これらの各部を制御するＣＰＵ，ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等からなる画像処理制御部１００とにより構成されている。
記憶部１４０は，ＣＣＤ２４等によって読み取られた画像データの画質を補正するために使用される基準画像データ（画質の基準となるデータ）を格納するＲＯＭ等の不揮発性メモリと，後述するＣＩＳ読取回路１１０やＣＣＤ読取回路１２０によって変換されたデジタル画像データを一時的に記憶すると共に画像処理を実行する際の作業領域として使用されるＲＡＭ等の半導体メモリと，により構成されるものである。
【００１１】
ＣＣＤ読取回路１２０（第１の読取手段に相当）は，上記ＣＣＤ２４により変換された電気信号を読み取ってデジタル画像データに変換する回路である。また，ＣＩＳ読取回路１１０（第２の読取手段に相当）は，上記ＣＩＳ１２により変換された電気信号を読み取ってデジタル画像データに変換する回路である。
【００１２】
ＣＣＤ画像補正部１６０（第１の画質補正手段の一例）は，上記記憶部１４０に予め記憶された基準画像データに基づいて，上記ＣＣＤ読取回路１２０により変換されたディジタル画像データの画質を補正するものであって，例えば，上記基準画像データの画質の特性に関する特性パラメータに基づいて上記ＣＣＤ読取回路１２０により変換されたディジタル画像データの画質を補正するものであり，即ち，画質に影響を与える要素の特性を考慮して，その特性をパラメータとして取り扱い，そのパラメータの数値を変動させることにより上記特性パラメータを調整し，これにより画質を補正するものである。
ＣＩＳ画像補正部１５０（第２の画質補正手段の一例）は，上記ＣＣＤ画像補正部１６０により補正されたＣＣＤ補正画像データに基づいて，上記ＣＩＳ読取回路１１０により変換されたディジタル画像データの画質を補正するものであって，例えば，上記ＣＣＤ補正画像データの画質の特性に関する特性パラメータに基づいて上記ＣＩＳ読取回路１１０により変換されたディジタル画像データの画質を補正するものであり，上記ＣＣＤ画像補正部１６０と同様にしてパラメータを調整することにより画質を補正するものである。
原稿画像データが持つ画質と略同質の画像データを生成するためには，画質の特性に関する全ての特性パラメータに基づき画質の補正を行うことが考えられる。しかし，画質に影響を与える要素には，例えば，インクやトナー或いはフィルムの特性，用紙メディアの特性，文書タイプ（写真、イラスト、グラフィックス、テキスト）の特性，カラー形式による特性の他，グレーバランス，明度，コントラスト，彩度，色み特性，ガンマ特性，レンズ特性（特に色収差），ＭＴＦ（Ｍｏｄｕｌａｔｉｏｎ  Ｔｒａｎｓｆｅｒ  Ｆｕｎｃｔｉｏｎ：振幅伝達関数）特性等のように多数存在し，これらの要素全ての特性をパラメータとして用いて補正していたのでは画像処理に多大な時間を要する。そこで，本実施形態では最も画質に影響を与える色み特性，ガンマ特性，そして次いで画質に影響を与えるＭＴＦ特性，色収差特性のパラメータを補正パラメータとして用いて，この補正パラメータに基づいて画質を補正することとする。従って，上記ＣＩＳ画像補正部１５０及びＣＣＤ画像補正部１６０には，色み特性，ガンマ特性，ＭＴＦ特性，色収差特性の特性パラメータに基づいて画質を補正する色補正回路１５１，１６１，ガンマ補正回路１５２，１６２，ＭＴＦ補正回路１５３，１６３，色収差補正回路１５４，１６４が設けられている。
【００１３】
次に，図１の模式断面図を用いて，本発明の実施の形態に係る画像処理装置Ｘの動作について説明する。
両面の画像データを読み取らせたい原稿Ｓが上記ＡＤＦ１０にセットされた後に，ユーザによって装置の外装前面部に配置される不図示の操作パネルからの操作入力，或いはパーソナルコンピュータ等の外部ホスト装置から両面原稿読取の指示がなされると，上記画像処理制御部１００は両面読取機能に基づいてＣＣＤ２３，ＣＩＳ１２等を稼動させ，両面原稿を読み取るための準備を行う。
ユーザによりスタートキーが操作されると，不図示のメイン駆動モータが始動し，その駆動トルクが複数のギアを介して原稿Ｓを搬送する搬送ローラ（不図示）に伝達され，これにより原稿Ｓが搬送路１１に送り出される。
原稿Ｓが搬送路１１のＵ字状部を通過すると，原稿Ｓの先端部は，まず，原稿表面Ｆの画像データがＣＣＤ２４により読み取られる位置Ｐ点に到達する。Ｐ点では，露光装置２１によって原稿表面Ｆに対する露光が開始される。原稿表面Ｆに照射された照射光は，原稿Ｓの画像情報を含む反射光（原稿からの反射光）となり，この反射光は，第１ミラー２２ａから第２ミラー２２ｂ，第３ミラー２２ｃを経由して光学レンズ２３に導かれ，この光学レンズ２３により集光された反射光がＣＣＤ２４によって受光される。
原稿表面Ｆが読み取られる一方で，更に搬送された原稿Ｓの先端部は原稿裏面Ｒの画像データがＣＩＳ１２により読み取られる位置Ｑ点に到達する。Ｑ点では，ＣＩＳ１２がＬＥＤ等から照射されて原稿で反射された反射光を受光する。
【００１４】
上記ＣＣＤ２４及びＣＩＳ１２において受光された反射光は，画像情報を含む電気信号に変換され，変換された電気信号は，上記ＣＣＤ読取回路１２０及びＣＩＳ読取回路において上記画像処理制御部１００により電気信号に対応したデジタル画像データに変換される。
先にＣＣＤ２４によって読み取られた原稿表面Ｐのデジタル画像データ（ＣＣＤデジタルデータ）は，上記ＣＣＤ画像補正部１６０において，記憶部１４０に記憶された基準画像データに基づき画質の補正が実行される。具体的には，上記画像処理制御部１００が上記基準画像データ及び上記ＣＣＤデジタルデータの画質特性（色み特性，ガンマ特性，ＭＴＦ特性，色収差特性等）の特性パラメータの数値を読み取り，上記ＣＣＤデジタルデータの上記各特性パラメータが，上記基準画像データの上記各特性パラメータを基準とした許容範囲内に収まるよう上記ＣＣＤデジタルデータの各特性パラメータの数値を変動させる。これにより画質の補正が実行される。
ＣＣＤ２４よりも後にＣＩＳ１２によって読み取られた原稿裏面Ｑのデジタル画像データ（ＣＩＳデジタルデータ）は，上記ＣＩＳ画像補正部１５０において，上記ＣＣＤ画像補正部において補正された補正画像データ（ＣＣＤ補正画像データ）に基づき画質の補正が実行される。具体的には，上記ＣＣＤ画像補正部１６０において行われる処理と同様にして，上記画像処理制御部１００が上記ＣＣＤ補正画像データ及び上記ＣＩＳデジタル画像データの画質の特性パラメータの数値を読み取り，上記ＣＩＳデジタルデータの上記各特性パラメータが，上記ＣＣＤ補正画像データの上記各特性パラメータを基準とした許容範囲内に収まるよう上記ＣＩＳデジタルデータのパラメータの数値を変動させることにより画質の補正を実行する。
【００１５】
続いて，図３のフローチャートを用いて，本発明の実施の形態に係る画像処理装置Ｘにおいて実行される画像処理制御部１００の画像処理手順について説明する。両面の画像データを読み取らせたい原稿がＡＤＦ１０（図１）にセットされ，ユーザにより両面画像読取指示が入力されると，ＡＤＦ１０にセットされた原稿を搬送路１１に送り出す搬送ローラが回転駆動し，原稿が１部づつ搬送路１１に送り出される。このときに，画像処理制御部１００は搬送路１１内を搬送する原稿の両面画像データに対して以下に述べる画像処理を実行する。尚，図中のＳ１００，Ｓ１１０…，Ｓ２００，Ｓ２１０…は処理手順（ステップ）番号を示す。処理はステップＳ１００より開始される。
【００１６】
原稿の先端部がＰ点（ＣＣＤ２４により原稿表面の画像データが読み取られ得る地点）に到達すると，ステップＳ１００において，画像処理制御部１００は，露光装置２１を露光させることにより，ＣＣＤ２４を用いて原稿表面Ｆの画像データを読み取らせる。上記ＣＣＤ２４に読み取られた原稿は，その先端部が搬送方向下流側のＱ点（ＣＩＳ１２により原稿裏面の画像データが読み取られ得る地点）に到達すると，ステップＳ２００においてＣＩＳ１２に原稿裏面Ｒの画像データを読み取らせる。
ステップＳ１１０では，予め記憶部１４０のＲＯＭ等に格納された基準画像データ及び上記ＣＣＤ２４により読み取られたデジタルデータ（ＣＣＤデジタルデータ）の画質に関する特性パラメータの数値が読み取られ，上記ＣＣＤデジタルデータの各特性パラメータと上記基準画像データの各パラメータとが比較される。
次のステップＳ１２０においては，上記ＣＣＤデジタルデータの各特性パラメータが上記基準画像データの各パラメータを基準とした一定の許容範囲内にあるかどうかが判断される。ここで，１つでも特性パレメータの値が許容範囲内にないと判断された場合は，ステップＳ１３０において，ＣＣＤデジタルデータの許容範囲内にない特性パラメータを，許容範囲内に収めるようシフトさせて，上記ＣＣＤデジタルデータのパラメータの数値を変動させることによりパラメータの調整を行う。その後，再度，ステップＳ１２０の処理を繰り返し実行する。ステップＳ１２０において許容範囲内にあると判断されるまでステップＳ１２０〜Ｓ１３０の処理は繰り返し実行される。ステップＳ１２０において許容範囲内にあると判断された場合は，特性パラメータが調整された画像データ（第１の調整画像データ）が記憶部１４０の所定の記憶領域に記憶される（Ｓ１４０）。
このように，ステップＳ１１０〜Ｓ１３０の処理を実行することにより，ＣＣＤにより読み取られたデジタル画像データと基準画像データとを比較して特性パラメータを調整する処理を実行する手段が第１の画質補正手段の一例である。
【００１７】
ステップＳ１４０の処理が完了すると，ステップＳ２００においてＣＩＳ１２により読み取られた原稿裏面Ｒの画像データの画像処理がステップＳ２１０から開始される。
ステップＳ２１０では，記憶部１４０に記憶された上記第１の調整画像データ及び上記ＣＩＳ１２により読み取られたデジタルデータ（ＣＩＳデジタルデータ）の画質に関する特性パラメータの数値が読み取られ，上記ＣＩＳデジタルデータの各特性パラメータと上記第１の調整画像データの各パラメータとが比較される。
次のステップＳ２２０においては，上記ＣＩＳデジタルデータの各特性パラメータが上記第１の調整画像データの各パラメータを基準とした一定の許容範囲内にあるかどうかが判断される。ここで，１つでも特性パレメータの値が許容範囲内にないと判断された場合は，ステップＳ２３０において，ＣＩＳデジタルデータの許容範囲内にない特性パラメータを，許容範囲内に収めるようシフトさせて，上記ＣＩＳデジタルデータのパラメータの数値を変動させることによりパラメータの調整を行う。その後，再度，ステップＳ２２０の処理を繰り返し実行する。ステップＳ２２０において許容範囲内にあると判断されるまでステップＳ２２０〜Ｓ２３０の処理は繰り返し実行される。ステップＳ２２０において許容範囲内にあると判断された場合は，特性パラメータが調整された画像データ（第２の調整画像データ）が記憶部１４０の所定の記憶領域に記憶される（Ｓ２４０）。
このように，ステップＳ２１０〜Ｓ２３０の処理を実行することにより，ＣＩＳにより読み取られたデジタル画像データと基準画像データとを比較して特性パラメータを調整する処理を実行する手段が第１の画質補正手段の一例である。
ステップＳ１３０及びＳ２３０の特性パラメータの調整が完了すると，即ち原稿画像の両面の画像データの画質補正が完了すると，ステップＳ１５０において所定の画像処理が実行される。
【００１８】
【実施例】
上記実施の形態では，原稿表面画像を読み取るＣＣＤ及び原稿裏面画像を読み取るＣＩＳの２つのイメージセンサを備える画像処理装置Ｘについて説明したが，特にこれに限定されることはない。原稿表面或いは裏面の画像データを読み取るイメージセンサの組み合わせには原則として特別な組み合わせはなく，同種のイメージセンサを用いるよう構成されていてもかまわない。但し，近年，装置がコンパクト化される傾向にあることを考慮すれば，上記原稿両面とも比較的コンパクトなイメージセンサであるＣＩＳを用いることが望ましく，又は，少なくとも原稿表面裏面のいずれか一方をＣＩＳにより読み取る構成とすることが望ましい。また，スペース的にあまり余裕のない搬送路内にイメージセンサを設ける場合にも，同様の理由からＣＩＳを用いることが望ましい。
【００１９】
【発明の効果】
以上説明したように，本発明に係る画像処理装置によれば，２つのイメージセンサによって原稿の両面画像データを１の動作で読み取る画像処理装置に，所定の基準画像データに基づいて一方のイメージセンサにより読み取られた画像データの画質の補正を行い，この補正がされた画像データに基づいて他方のイメージセンサにより読み取られた画像データの画質の補正を行うよう構成されているため，読み取られた表裏面の画像データ間に生じる画質差が低減されるだけでなく，原稿画像データとの画質差も低減され得る。
また，上記基準画像データの画質の特性に関する特性パラメータに基づき上記画質を補正することにより補正の処理が単純化される。
また，この特性パラメータが少なくとも色みの特性を示す色補正パラメータ，ガンマ特性を示すガンマ補正パラメータ，ＭＴＦ特性を示すＭＴＦ補正パラメータ或いは色収差特性を示す補正パラメータのいづれか１つ或いは複数のパラメータであることにより，多数のパラメータを処理せずとも，原稿表裏面の画像データの画質差を視認できない程度の許容範囲内に抑えることができる共に，処理速度が向上する効果を奏する。
【図面の簡単な説明】
【図１】本発明の実施の形態に係る画像処理装置の概略構造を示す模式断面図。
【図２】本発明の実施の形態に係る画像処理装置に設けられた画像処理制御装置の概略構成を示すブロック図。
【図３】本発明の実施の形態に係る画像処理装置において実行される画像処理手順を説明するフローチャート。
【符号の説明】
１０…ＡＤＦ（Ａｕｔｏ  Ｄｏｃｕｍｅｎｔ  Ｆｅｅｄｅｒ）
１１…搬送路
１２…ＣＩＳ
２０…画像処理制御装置
２１…露光装置
２２…ミラー
２３…光学レンズ（集光レンズ）
２４…ＣＣＤ
【図１】
2005020224.tif 000003
【図２】
2005020224.tif 000004
【図３】
2005020224.tif 000005